(57)【要約】【課題】雄ネジ棒部に塑性的な曲がり変形が生じるのを、重量増を抑えながら、防ぐことができる構造の吊り治具を提供する。【解決手段】吊り対象物としてのパネル１に取り付けられる雄ネジ棒部４の頭部５に、吊上げ手段のとしてのロープ９を係止する係止孔６が設けられ、該頭部５に、パネル１に対して雄ネジ棒部４の軸線位置から偏心した位置において雄ネジ棒部４との間に空間スペースをおくようにして当接ないしは近接する当接用脚部７が一体に又は一体的に設けられている。該当接用脚部７は、例えば、雄ネジ棒部４の周方向における一側のがわにおいてのみ設けられると共に、係止孔６が雄ネジ棒部４の軸線位置から前記一側のがわに偏心して設けられているとよい。【選択図】      図１
2008068973.tif 000002
【特許請求の範囲】
【請求項１】
吊り対象物に取り付けられる雄ネジ棒部の頭部に、吊上げ手段を係止する係止孔が設けられた吊り治具において、
該頭部に、吊り対象物に対して雄ネジ棒部の軸線位置から偏心した位置において雄ネジ棒部との間に空間スペースをおくようにして当接ないしは近接する当接用脚部が一体に又は一体的に設けられていることを特徴とする吊り治具。
【請求項２】
前記当接用脚部が雄ネジ棒部の周方向における一側のがわにおいてのみ設けられると共に、前記係止孔が雄ネジ棒部の軸線位置から前記一側のがわに偏心して設けられている請求項１に記載の吊り治具。
【請求項３】
前記当接用脚部が雄ネジ棒部の軸線回りに等間隔ないしはほぼ等間隔に３つ以上備えられている請求項１に記載の吊り治具。
【発明の詳細な説明】
【技術分野】
【０００１】
本発明は、吊り治具に関する。
【背景技術】
【０００２】
例えば、図３（イ）に示すように、水平状態に設置されているパネル５１を垂直に立てた状態にする方法として、水平状態のパネル５１の側面部に吊り治具としてのアイボルト５２，５２を水平に取り付け、該アイボルト５２，５２に吊上げ手段としてのロープ５３を係止して吊り上げて立てていく方法を採ることは、従来より普通に行われている。
【特許文献１】特開２００１−９９１２３号公報
【発明の開示】
【発明が解決しようとする課題】
【０００３】
しかしながら、上記のようなアイボルト５２では、図３（ロ）に示すように、吊上げの初期過程において、アイボルト５２の雄ネジ棒部に曲げがかってしまい、雄ネジ棒部に塑性的な曲がり変形を生じさせてしまうことがある。
【０００４】
特に、図３（ハ）に示すように、パネルフレーム５５が外壁面材５６の端部位置よりも内方に後退しているような外壁パネル５４を吊り対象物とするような場合には、外壁パネル５４のパネルフレーム５５に対するアイボルト５２の取付け位置、即ちナット５７，５７の位置と、アイボルト５２のロープ係止用のリング部の位置との間の距離寸法が大きくなってしまい、アイボルト５２の雄ネジ棒部に塑性的な曲がり変形を生じさせてしまいやすい。
【０００５】
そこで、雄ネジ棒部を太くすることなども考えられるが、アイボルトの重量を大きなものにしてしまい、取扱いに不便を来すなどの問題を生じさせてしまいやすい。
【０００６】
本発明は、上記のような問題点に鑑み、雄ネジ棒部に塑性的な曲がり変形が生じるのを、重量増を抑えながら、防ぐことができる構造の吊り治具を提供することを課題とする。
【課題を解決するための手段】
【０００７】
上記の課題は、吊り対象物に取り付けられる雄ネジ棒部の頭部に、吊上げ手段を係止する係止孔が設けられた吊り治具において、
該頭部に、吊り対象物に対して雄ネジ棒部の軸線位置から偏心した位置において雄ネジ棒部との間に空間スペースをおくようにして当接ないしは近接する当接用脚部が一体に又は一体的に設けられていることを特徴とする吊り治具（第１発明）によって解決される。
【０００８】
この吊り治具では、雄ネジ棒部を水平にして吊り対象物に取り付け、当接用脚部を雄ネジ棒部よりも上側に位置させ、係止孔に吊上げ手段を係止して吊上げを行うと、当接用脚部が吊り対象物に当接し、当接用脚部には圧縮力が、その反力として雄ネジ棒部には引張り力が作用し、雄ネジ棒部に対する曲げのかかりが弱められて、雄ネジ棒部に塑性的な曲がり変形を生じてしまうのを防ぐことができる。
【０００９】
しかも、当接用脚部は、雄ネジ棒部との間に空間スペースをおいて吊り対象物に当接するようになされているので、無駄な肉が省略されて、曲がり変形防止効果を落とすことなく、吊り治具の重量増を抑えることができる。
【００１０】
加えて、当接用脚部は雄ネジ棒部の頭部に一体に又は一体的に設けられているので、吊上げ時の吊り対象物と当接用脚部との間の力の伝達や、当接用脚部と雄ネジ棒部４との間の力の伝達が適正に行われて、当接用脚部にしっかりとした圧縮力が作用し、その反力として雄ネジ棒部にはしっかりとした引張り力が作用して、雄ネジ棒部に塑性的な曲がり変形を生じてしまうのを効果的に防ぐことができる。
【００１１】
上記の第１発明において、前記当接用脚部が雄ネジ棒部の周方向における一側のがわにおいてのみ設けられると共に、前記係止孔が雄ネジ棒部の軸線位置から前記一側のがわに偏心して設けられている場合は、係止孔に吊上げ手段を係止し、吊上げ力を付与すると、係止孔はその吊上げ力によって雄ネジ棒部の軸線位置から上方に偏心した位置に位置し、それに伴って、当接用脚部も雄ネジ棒部の軸線位置から上方に偏心した位置に位置し、当接用脚部を雄ネジ棒部よりも上側に位置させる手間を省くことができて、吊り対象物への吊り治具の取付け作業を容易にすることができる。
【００１２】
また、上記の第１発明において、前記当接用脚部が雄ネジ棒部の軸線回りに等間隔ないしはほぼ等間隔に３つ以上備えられている場合は、係止孔が雄ネジ棒部の軸線位置から偏心している場合も、していない場合も、係止孔に吊上げ手段を係止して吊上げ力を付与すると、雄ネジ棒部よりも上側にいずれか一つ又は複数の当接用脚部が位置し、当接用脚部を雄ネジ棒部よりも上側に位置させる手間を省くことができて、吊上げ作業を容易にすることができる。
【００１３】
即ち、第３発明において「当接用脚部が雄ネジ棒部の軸線回りに周方向に等間隔ないしはほぼ等間隔に３つ以上備えられている」とは、雄ネジ棒部がその回転方向のいずれの位置に位置しても、そのとき、該雄ネジ棒部よりも上側にいずれか一つ又は複数の当接用脚部が位置するような数と配置関係を備えた構造になっていることを意味している。
【発明の効果】
【００１４】
本発明は、以上のとおりのものであるから、雄ネジ棒部に塑性的な曲がり変形が生じるのを、重量増を抑えながら、防ぐことができる。
【発明を実施するための最良の形態】
【００１５】
次に、本発明の実施最良形態を図面に基づいて説明する。
【００１６】
図１に示す第１実施形態において、１は吊り対象物としてのコンクリートパネル、９は吊上げ手段としてのロープ、３は吊り治具である。
【００１７】
該吊り治具３は、図１（イ）に示すように、雄ネジ棒部４の頭部５に係止孔６と当接用脚部７とが一体に又は一体的に備えられたものからなっていて、雄ネジ棒部４は、図１（ロ）に示すように、水平状態のコンクリートパネル１の側面部に位置して備えられたインサート２の雌ネジ部２ａと螺合可能で、該雌ネジ部２ａに螺合することでコンクリートパネル１に取り付けることができるようになされている。
【００１８】
また、係止孔６は、雄ネジ棒部４の軸線位置から一方の側に距離ａだけ偏心して備えられると共に、当接用脚部７は、図１（ハ）等に示すように、雄ネジ棒部４の周方向における一側のがわにおいてのみ設けられ、コンクリートパネル１の側面部に対して、雄ネジ棒部４の軸線位置から偏心した位置において雄ネジ棒部４との間に空間スペースをおくようにして当接ないしは近接するようになされており、係止孔６の偏心方向と当接用脚部７の偏心方向とは一致するようになされている。
【００１９】
上記の吊り治具３では、図１（ロ）（ハ）に示すように、水平状態のコンクリートパネル１の側面部に備えられているインサート２の雌ネジ部２ａに雄ネジ棒部４を螺合し、図１（ニ）（ホ）に示すように、係止孔６にロープ９を掛けて吊上げ力を付与すると、当接用脚部７は雄ネジ棒部４の上方に位置していなくても、その吊上げ力で、雄ネジ棒部４が回転し、当接用脚部７が上に位置した状態になり、当接用脚部７が雄ネジ棒部４よりも上に位置した状態となるようにする操作を、コンクリートパネル１への吊り治具３の取付け作業においてわざわざ行う必要がなく、吊り治具３の取付けを容易に行うことができる。
【００２０】
そして、吊上げを開始してからは、図１（ニ）に矢印で示すように、当接用脚部７がコンクリートパネル１の側面部に当接し、当接用脚部７には圧縮力が、その反力として雄ネジ棒部４には引張り力が作用し、雄ネジ棒部４に対する曲げのかかりが弱められて、雄ネジ棒部４に塑性的な曲がり変形を生じるのが防がれる。
【００２１】
このように、上記の吊り治具３によれば、雄ネジ棒部４の塑性的な曲がり変形の発生を防ぐことができ、しかも、当接用脚部７は、上記のように、雄ネジ棒部４との間に空間スペースをおいてコンクリートパネル１の側面部に当接するようになされているので、無駄な肉が省略されて、曲がり変形防止効果を落とすことなく、吊り治具３の重量増を抑えることができる。
【００２２】
特に、当接用脚部７は雄ネジ棒部４の頭部５に一体に又は一体的に設けられていることで、吊上げ時のコンクリートパネル１と当接用脚部７との間の力の伝達や、当接用脚部７と雄ネジ棒部４との間の力の伝達が適正に行われて、当接用脚部７にしっかりとした圧縮力が作用し、その反力として雄ネジ棒部４にはしっかりとした引張り力が作用して、雄ネジ棒部４に塑性的な曲がり変形を生じてしまうのを効果的に防ぐことができる。
【００２３】
図２（イ）（ロ）に示す第２実施形態の二種類の吊り治具３，３は、係止孔６が雄ネジ棒部４の軸線と一致するように備えられると共に、当接用脚部７が雄ネジ棒部４の軸線回りに等間隔ないしはほぼ等間隔に３以上、図２（イ）の吊り治具３では３つ、図２（ロ）に示す吊り治具３では４つ備えられたものからなっている。
【００２４】
これらの吊り治具３，３では、係止孔６がこのように雄ネジ棒部４の軸線位置から偏心していなくても、図２（ハ）に示すように、係止孔６にロープ９を係止して吊上げ力を付与すると、雄ネジ棒部４よりも上側にいずれか一つ又は複数の当接用脚部７が位置し、当接用脚部７を雄ネジ棒部４よりも上側に位置させる手間を省くことができて、吊上げ作業を容易にすることができる。
【００２５】
以上に、本発明の実施形態を示したが、本発明はこれに限られるものではなく、発明思想を逸脱しない範囲で各種の変更が可能である。例えば、上記の実施形態では、吊り対象物が、側面部に雌ネジ部を備えた水平なコンクリートパネルである場合を示しているが、図３（ハ）に示すような外壁パネル５４であってもよく、その場合に、雄ネジ棒部４の取付け部位がパネルフレーム５５であるならば、当接用脚部７の当接を例えば外壁面材５６の側面部とすれば、雄ネジ棒部の長さ寸法が大きくても、その塑性的な曲がり変形の発生を防ぐことができる。
【００２６】
また、上記の実施形態では、当接用脚部７が、雄ネジ棒部４の周方向における一側のがわにおいてのみ設けられる場合と、雄ネジ棒部４の軸線回りに等間隔ないしはほぼ等間隔に３つ以上備えられている場合を示したが、第１発明では、当接用脚部は、雄ネジ棒部の外周側に雄ネジ棒部に同心状態に備えられた筒状のものであってもよく、要は、吊り対象物に対して雄ネジ棒部の軸線位置から偏心した位置において雄ネジ棒部との間に空間スペースをおくようにして当接するようなものであればよい。
【００２７】
また、上記の実施形態では、吊上げ手段がロープ９であり、吊り対象物がパネル１である場合を示したが、本発明では、これに限らず、吊上げ手段は種々のものであってよいし、吊り対象物も種々のものが対象であってよい。
【図面の簡単な説明】
【００２８】
【図１】第１実施形態の吊り治具を示すもので、図（イ）は全体斜視図、図（ロ）〜図（ホ）は吊上げのための工程を順次に示す一部断面側面図である。
【図２】図（イ）及び図（ロ）はそれぞれ第２実施形態の二種類の吊り治具を示す全体斜視図、図（ハ）は吊上げの一過程を示す一部断面側面図である。
【図３】図（イ）〜図（ハ）はそれぞれ従来の吊り治具、吊上げの態様、力の係具合等を示す説明図である。
【符号の説明】
【００２９】
１…コンクリートパネル（吊り対象物）
３…吊り治具
４…雄ネジ棒部
５…頭部
６…係止孔
７…当接用脚部
９…ロープ（吊上げ手段）
【図１】
2008068973.tif 000003
【図２】
2008068973.tif 000004
【図３】
2008068973.tif 000005